(57)【要約】【課題】飾り専用のＬＥＤ等を用いずに一層目立たせることができる表示パネル、表示装置および表示方法を提供する。【解決手段】表示パネル１００において、通常表示モードにおける１６ドット×１６ドット文字を、強調表示モードにおいて最大２０ドット×２０ドットに変化させ、表現力を増加させた場合を示す。通常表示モードでは、（ａ）に示すように１６ドット×１６ドット文字で「大盛況！」の４文字を表示しており、表示内容をアピールする場合などに強調表示モードに切り替え、（ｂ）に示すように、「盛況」の２文字を２０ドット×２０ドット文字に変化させる。この構成によれば、通常表示モードにおける１６ドット×１６ドット文字を、強調表示モードにおいて最大２０ドット×２０ドットに変化させることにより、視認者に違和感を生じさせずに拡大表示を行い、表示パネルの注目度を高めることができる。【選択図】図４
2007304416.tif 000002
【特許請求の範囲】
【請求項１】
発光素子が所定の間隔でマトリクス状に配置される表示パネルであって、
文字の配列方向と直交する方向における前記発光素子のドット数が、第１の標準フォントの一辺のドット数より大きく、前記第１の標準フォントの次の大きさである第２の標準フォントの一辺のドット数より小さいことを特徴とする表示パネル。
【請求項２】
請求項１記載の表示パネルであって、
前記第１の標準フォントは、１６×１６ドットであり、
前記第２の標準フォントは、２４×２４ドットであり、
文字の配列方向と直交する方向における前記発光素子のドット数は、２０ドットであることを特徴とする表示パネル。
【請求項３】
請求項２記載の表示パネルであって、
通常表示モードでは、前記第１の標準フォントによる文字を表示し、
強調表示モードでは、縦１６×横２０ドットまたは２０×２０ドットの拡大フォントによる文字を表示することを特徴とする表示パネル。
【請求項４】
請求項２記載の表示パネルであって、
揺らぎ表示モードでは、前記第１の標準フォントによる文字を、文字の配列方向と直交する方向に１ドットまたは２ドットずらして表示することを特徴とする表示パネル。
【請求項５】
請求項２記載の表示パネルであって、
前記第１の標準フォントによる文字を表示する場合に、文字の配列方向と直交する方向における前記発光素子の両端の２ドットを、文字表示する発光素子と異なる色で発光させることを特徴とする表示パネル。
【請求項６】
複数の発光素子の発光によって文字や図形等を表現する表示装置であって、
前記発光素子が所定の間隔でマトリクス状に配置され、文字の配列方向と直交する方向における前記発光素子のドット数が、第１の標準フォントの一辺のドット数より大きく、前記第１の標準フォントの次の大きさである第２の標準フォントの一辺のドット数より小さい表示パネルと、
前記表示パネルに、前記第１の標準フォントによる文字と、前記表示パネルにおける文字の配列方向と直交する方向における前記発光素子のドット数に対応する拡大フォントによる文字とを切り替えて表示する制御部とを備えることを特徴とする表示装置。
【請求項７】
請求項６記載の表示装置であって、
前記第１の標準フォントは、１６×１６ドットであり、
前記第２の標準フォントは、２４×２４ドットであり、
前記拡大フォントは、縦１６×横２０ドットまたは２０×２０ドットであることを特徴とする表示装置。
【請求項８】
請求項６記載の表示装置であって、
通常表示モードにおいて、前記制御部は、前記表示パネルに、前記第１の標準フォントによる文字を表示し、強調表示モードにおいて、前記拡大フォントによる文字を表示することを特徴とする表示装置。
【請求項９】
請求項６記載の表示装置であって、
揺らぎ表示モードにおいて、前記制御部は、前記表示パネルに、前記第１の標準フォントによる文字を、文字の配列方向と直交する方向に１ドットまたは２ドットずらして表示することを特徴とする表示装置。
【請求項１０】
請求項６記載の表示装置であって、
前記表示パネルに前記第１の標準フォントによる文字を表示する場合に、前記制御部は、文字の配列方向と直交する方向における前記発光素子の両端の２ドットを、文字表示する発光素子と異なる色で発光させることを特徴とする表示装置。
【請求項１１】
請求項６記載の表示装置であって、
前記制御部は、前記第１の標準フォントに対応するデータを格納する第１のデータ保持部と、前記拡大フォントに対応するデータを格納する第２のデータ保持部とを有することを特徴とする表示装置。
【請求項１２】
複数の発光素子の発光によって文字や図形等を表現する表示方法であって、
強調表示モードでは、１６×１６ドット文字および２０×２０ドット文字を切り替えて表示し、
横幅強調モードでは、１６×１６ドット文字および縦１６×横２０ドット文字を切り替えて表示することを特徴とする表示方法。
【発明の詳細な説明】
【技術分野】
【０００１】
本発明は、基板上にマトリクス状に配列された複数個の発光素子によって文字や図形等を表現する表示パネル、表示装置および表示方法に関し、特に、飾り専用のＬＥＤ（light-emitting diode：発光ダイオード）等を用いずに一層目立たせることができる表示パネル、表示装置および表示方法に関するものである。
【背景技術】
【０００２】
電球やＬＥＤ素子を発光素子として使用し、基板上にマトリクス状に配列された複数個の発光素子によって、広告用の文字や図形、アニメーション等の表示、或いはニューステロップの表示等を行なう表示装置が開発されている。
【０００３】
このような表示装置の場合、文字フォントとしては、１６ドット、２４ドット、４８ドット等が標準である。これはパソコンが普及し始めた当時のＣＰＵが８ビットであり、文字フォントは８ビットが最大であったこと、およびパソコンのディスプレイがその８ビットを最小単位として解像度を決めたところに由来している。
【０００４】
そして、設計上、表示パネルに設けられる発光素子の数は、表示パネルで表示する標準フォントに対応して決定されるものであり、表示装置に採用された標準フォントの文字を表示するのに必要最低限の数だけ発光素子は設けられ、余分な発光素子は設けないのが通常である。
【０００５】
従って、現在でも８の倍数が最も効率の良い表示ドット単位であることから、広告の看板等に用いられているＬＥＤ表示装置においても、１６ドットまたは２４ドットのＬＥＤ表示パネルが多く用いられている。例えば、図１０に示すような、１６ドット×１６ドットＬＥＤパネル５０または２４ドット×２４ドットＬＥＤパネル５１等の表示パネルが多く採用されている。
【０００６】
また、特許文献１に記載の表示装置のように複数行の文字表示を行う表示装置であって異なる標準フォントを選択的に表示できるものであっても、表示パネルに設ける発光素子のドットを無駄なく使用すべく発光素子の数を決定するのが通常である（特許文献１参照）。
【０００７】
このように、ＬＥＤ表示装置の開発・設計の際には、コスト・用途が十分に考慮されている。例えば多くの人に情報を遠方からでも正確に伝える必要がある駅構内文字情報板には２４ドットパネルが用いられ、店前で使用される広告看板としてはコスト面から１６ドットパネルが用いられることが多い。
【０００８】
どちらの用途であっても、特に広告看板として用いられる場合は、限られた表示面積の中で表示内容を一層目立たせることが要請されており、例えば、文字を表示するためにマトリクス状に配置された発光素子とは別に、飾り専用のＬＥＤを設けて、集客力の向上を図ったものがある（例えば、特許文献２参照）。
【特許文献１】特開２００５−２３４０７６号公報
【特許文献２】特開２００５−１１５０４２号公報
【発明の開示】
【発明が解決しようとする課題】
【０００９】
しかしながら、特許文献２に記載の表示装置では、飾り専用のＬＥＤを用いるのに、飾り専用のＬＥＤの設置スペースが必要になり、本来の表示用ＬＥＤで表示できるフォントサイズが制限されてしまう。
【００１０】
また、特許文献１に記載の表示装置では、強調表示を行うためにある標準フォントとその次の大きさの標準フォント（例えば１６ビットと２４ビット）を切り替えて表示すると、文字が拡大しすぎて、表示装置の近傍にいる視認者にとっては逆に違和感が生じて読みにくくなり、強調表示とはならず広告宣伝の看板としては逆効果になってしまう。
【００１１】
本発明は、上記従来の事情に鑑みてなされたものであって、飾り専用のＬＥＤ等を用いずに一層目立たせることができる表示パネル、表示装置および表示方法を提供することを目的としている。
【課題を解決するための手段】
【００１２】
本発明は、発光素子が所定の間隔でマトリクス状に配置される表示パネルであって、文字の配列方向と直交する方向における前記発光素子のドット数が、第１の標準フォントの一辺のドット数より大きく、前記第１の標準フォントの次の大きさである第２の標準フォントの一辺のドット数より小さいことを特徴とする表示パネルである。
【００１３】
この構成によれば、第１の標準フォントと、第１の標準フォントの次の大きさである第２の標準フォントとの中間の大きさに切り替えて表示できるので、視認者に違和感を生じさせずに拡大表示を行い、表示パネルの注目度を高めることができる。
【００１４】
また、本発明の表示パネルにおいて、前記第１の標準フォントは、１６×１６ドットであり、前記第２の標準フォントは、２４×２４ドットであり、文字の配列方向と直交する方向における前記発光素子のドット数は、２０ドットであることを特徴とする。
【００１５】
この構成によれば、第１の標準フォントと、第１の標準フォントより大きい縦１６ドット×横２０ドット文字とに切り替えて表示できるので、視認者に違和感を生じさせずに拡大表示を行い、表示パネルの注目度を高めることができる。
【００１６】
また、本発明の表示パネルにおいて、通常表示モードでは、前記第１の標準フォントによる文字を表示し、強調表示モードでは、縦１６×横２０ドットまたは２０×２０ドットの拡大フォントによる文字を表示することを特徴とする。
【００１７】
この構成によれば、強調表示モードにおいて縦１６×横２０ドットまたは２０×２０ドットの拡大フォントによる文字を表示することにより、視認者に違和感を生じさせずに拡大表示を行い、表示パネルの注目度を高めることができる。
【００１８】
また、本発明の表示パネルにおいて、揺らぎ表示モードでは、前記第１の標準フォントによる文字を、文字の配列方向と直交する方向に１ドットまたは２ドットずらして表示することを特徴とする。
【００１９】
この構成によれば、揺らぎ表示モードにおいて、第１の標準フォントによる文字を文字の配列方向と直交する方向に１ドットまたは２ドットずらして表示しても、文字欠けを生じることなく表示パネルの注目度を高めることができる。
【００２０】
また、本発明の表示パネルにおいて、前記第１の標準フォントによる文字を表示する場合に、文字の配列方向と直交する方向における前記発光素子の両端の２ドットを、文字表示する発光素子と異なる色で発光させることを特徴とする。
【００２１】
この構成によれば、文字の配列方向と直交する方向における発光素子の両端の２ドットを、文字表示する発光素子と異なる色で発光させることにより、飾り専用のＬＥＤ等を用いずに表示パネルを一層目立たせることができる。
【００２２】
また、本発明は、複数の発光素子の発光によって文字や図形等を表現する表示装置であって、前記発光素子が所定の間隔でマトリクス状に配置され、文字の配列方向と直交する方向における前記発光素子のドット数が、第１の標準フォントの一辺のドット数より大きく、前記第１の標準フォントの次の大きさである第２の標準フォントの一辺のドット数より小さい表示パネルと、前記表示パネルに、前記第１の標準フォントによる文字と、前記表示パネルにおける文字の配列方向と直交する方向における前記発光素子のドット数に対応する拡大フォントによる文字とを切り替えて表示する制御部とを備えることを特徴とする表示装置である。
【００２３】
この構成によれば、第１の標準フォントと、第１の標準フォントの次の大きさである第２の標準フォントとの中間の大きさである拡大フォントに切り替えて表示できるので、視認者に違和感を生じさせずに拡大表示を行い、表示装置の注目度を高めることができる。
【００２４】
また、本発明の表示装置において、前記第１の標準フォントは、１６×１６ドットであり、前記第２の標準フォントは、２４×２４ドットであり、前記拡大フォントは、縦１６×横２０ドットまたは２０×２０ドットであることを特徴とする。
【００２５】
この構成によれば、拡大フォントは、第１の標準フォントより大きい縦１６×横２０ドットまたは２０×２０ドットであるので、視認者に違和感を生じさせずに拡大表示を行い、表示装置の注目度を高めることができる。
【００２６】
また、本発明の表示装置は、通常表示モードにおいて、前記制御部は、前記表示パネルに、前記第１の標準フォントによる文字を表示し、強調表示モードにおいて、前記拡大フォントによる文字を表示することを特徴とする。
【００２７】
この構成によれば、強調表示モードにおいて拡大フォントによる文字を表示することにより、視認者に違和感を生じさせずに拡大表示を行い、表示装置の注目度を高めることができる。
【００２８】
また、本発明の表示装置は、揺らぎ表示モードにおいて、前記制御部は、前記表示パネルに、前記第１の標準フォントによる文字を、文字の配列方向と直交する方向に１ドットまたは２ドットずらして表示することを特徴とする。
【００２９】
この構成によれば、揺らぎ表示モードにおいて、第１の標準フォントによる文字を文字の配列方向と直交する方向に１ドットまたは２ドットずらして表示しても、文字欠けを生じることなく表示装置の注目度を高めることができる。
【００３０】
また、本発明の表示装置は、前記表示パネルに前記第１の標準フォントによる文字を表示する場合に、前記制御部は、文字の配列方向と直交する方向における前記発光素子の両端の２ドットを、文字表示する発光素子と異なる色で発光させることを特徴とする。
【００３１】
この構成によれば、文字の配列方向と直交する方向における発光素子の両端の２ドットを、文字表示する発光素子と異なる色で発光させることにより、飾り専用のＬＥＤ等を用いずに、表示装置を一層目立たせることができる。
【００３２】
また、本発明の表示装置において、前記制御部は、前記第１の標準フォントに対応するデータを格納する第１のデータ保持部と、前記拡大フォントに対応するデータを格納する第２のデータ保持部とを有することを特徴とする。
【００３３】
この構成によれば、拡大フォントに対応するデータを格納する第２のデータ保持部を有するので、強調表示モードにおいて拡大フォントによる文字を表示することにより、視認者に違和感を生じさせずに拡大表示を行い、表示装置の注目度を高めることができる。
【００３４】
また、本発明は、複数の発光素子の発光によって文字や図形等を表現する表示方法であって、強調表示モードでは、１６×１６ドット文字および２０×２０ドット文字を切り替えて表示し、横幅強調モードでは、１６×１６ドット文字および縦１６×横２０ドット文字を切り替えて表示することを特徴とする表示方法である。
【００３５】
この表示方法によれば、第１の標準フォントと、第１の標準フォントの次の大きさである第２の標準フォントとの中間の大きさに切り替えて表示できるので、視認者に違和感を生じさせずに拡大表示を行い、表示パネルの注目度を高めることができる。
【発明の効果】
【００３６】
以上説明したように、本発明にかかる表示パネル、表示装置および表示方法によれば、第１の標準フォントと、第１の標準フォントより大きい縦１６ドット×横２０ドット文字とに切り替えて表示できるので、視認者に違和感を生じさせずに拡大表示を行い、表示パネルの注目度を高めることができる。
【００３７】
また、揺らぎ表示モードにおいて、第１の標準フォントによる文字を文字の配列方向と直交する方向に１ドットまたは２ドットずらして表示しても、文字欠けを生じることなく表示パネルの注目度を高めることができる。
【００３８】
さらに、文字の配列方向と直交する方向における発光素子の両端の２ドットを、文字表示する発光素子と異なる色で発光させることにより、飾り専用のＬＥＤ等を用いずに、表示パネルを一層目立たせることができる。
【発明を実施するための最良の形態】
【００３９】
（実施の形態１）
図１は、本発明の実施形態にかかる表示パネル１００の概略を説明するための図である。本実施形態の表示パネル１００は、通常表示モードで縦１６×横２０ドットの文字を４つ表示することができ、広告看板用のＬＥＤ表示装置として使用することができる。また、縦１６×横２０ドットで表示していた文字を、表示内容をアピールする場合などの強調表示モードでは、２０×２０ドット文字に変更することができる。
【００４０】
この構成によれば、強調表示モードにおいて２０×２０ドットの拡大フォントによる文字を表示することにより、視認者に違和感を生じさせずに拡大表示を行い、表示パネルの注目度を高めることができる。
【００４１】
また、本実施形態の表示パネル１００の外形サイズは従来モデルと同様であり、従来と同様に１６×１６ドット文字を表示する場合は、表示面の周辺の２ドットを飾り表示部分として利用可能である。
【００４２】
この構成によれば、文字の配列方向と直交する方向における発光素子の両端の２ドットを、文字表示する発光素子と異なる色で発光させることにより、飾り専用のＬＥＤ等を用いずに表示パネルを一層目立たせることができる。
【００４３】
図２は、本実施形態の表示パネル１００の画面サイズを、同一の外形サイズの従来の表示パネル１０と比較して示す。図２（ａ）に示すように、従来の表示パネル１０における１パネルの大きさは２８８ｍｍ×２８８ｍｍであり、図２（ｂ）に示す本実施形態の表示パネル１００における１パネルの大きさは３２０ｍｍ×２９５ｍｍである。従って、本実施形態の表示パネル１００の面積比は従来の表示パネル１０に比べ１４％増加しており、視認距離は、従来約９８ｍであったのが約１０９ｍに増加した。
【００４４】
図３は、本実施形態の表示パネル１００の基板サイズおよびＬＥＤドット数を、同一の基板サイズの従来の表示パネル１０と比較して示す。図３（ａ）に示すように、従来の表示パネル１０の１パネルは、１６ドット×１６ドットの表示用ＬＥＤと、左右両側に飾りＬＥＤ５２を備える。一方、本実施形態の表示パネル１００における１パネルは、図３（ｂ）に示すように、縦１６ドット×横２０ドットの表示用ＬＥＤを備える。
【００４５】
図４は、本実施形態の表示パネル１００において、通常表示モードにおける１６ドット×１６ドット文字を、強調表示モードにおいて最大２０ドット×２０ドットに変化させ、表現力を増加させた場合の説明図である。すなわち、通常表示モードでは、図４（ａ）に示すように１６ドット×１６ドット文字で「大盛況！」の４文字を表示しており、表示内容をアピールする場合などに強調表示モードに切り替え、図４（ｂ）に示すように、「盛況」の２文字を２０ドット×２０ドット文字に変化させる。
【００４６】
この構成によれば、通常表示モードにおける１６ドット×１６ドット文字を、強調表示モードにおいて最大２０ドット×２０ドットに変化させることにより、視認者に違和感を生じさせずに拡大表示を行い、表示パネルの注目度を高めることができる。また、通常表示モードにおける１６ドット×１６ドット文字を、横幅だけを拡大して１６ドット×２０ドットに変化させることにより、視認者に違和感を生じさせずに拡大表示を行い、表示パネルの注目度を高めることができる
【００４７】
（実施の形態２）
図５は、本実施形態の表示パネル１００において１６ドット×１６ドット文字を左右に振りながら表示する場合（揺らぎ表示モード）を、同一の基板サイズの従来の表示パネル１０と比較して示す。従来の表示パネル１０は、１６ドット×１６ドット文字を左右に振りながら表示する場合に、図５（ａ）に示すように、文字の片側に欠ける部分が生じていたが、本実施形態の表示パネル１００では、図５（ｂ）に示すように、１６ドット×１６ドット文字を左右に振りながら表示する場合でも、１６ドット×１６ドット文字を文字欠けなしで表示することができ、左右２ドットの揺らぎを表現することができる。
【００４８】
このように本実施形態によれば、揺らぎ表示モードにおいて、１６ドット×１６ドット文字を文字の配列方向と直交する方向に１ドットまたは２ドットずらして表示しても、文字欠けを生じることなく表示装置の注目度を高めることができる。
【００４９】
（実施の形態３）
図６は、本実施形態の表示パネル１００において、左右２ドットを飾りＬＥＤとして利用する場合の説明図である。本実施形態の表示パネル１００では、通常表示モードにおいて、１６ドット×１６ドット文字を表示している場合に、表示パネル１００の左右両端の２ドットを、１６ドット×１６ドット文字を表示するＬＥＤと異なる色で発光させることにより、飾りＬＥＤとして利用して注目度を高めることができる。
【００５０】
さらに、本実施形態の表示パネル１００によれば、１６ドット×１６文字を点灯している個々のＬＥＤの位置情報を記憶し、１６ドット×１６文字の表示に同期して左右２ドットの飾りＬＥＤを点滅制御することにより、従来の表示パネル１０の飾りＬＥＤよりも表示内容を目立たせることができるとともに、豊かな表現をすることが可能となる。
【００５１】
この構成によれば、文字の配列方向と直交する方向における発光素子の両端の２ドットを、文字表示する発光素子と異なる色で発光させるとともに、１６ドット×１６文字の表示に同期して点滅制御することにより、飾り専用のＬＥＤ等を用いずに表示パネルを一層目立たせることができる。
【００５２】
図７は、本実施形態の表示装置２００の概略ブロック図を示す。本実施形態の表示装置２００は、表示装置２００の周囲の明るさを検出するフォトセンサ１１と、赤外線により表示内容の変更指示などを受け取るリモコン受光部１２と、飾りＬＥＤを搭載する飾り基板１３，２３と、表示用ＬＥＤを搭載する表示基板１５，１７，１９，２１と、ＬＥＤを駆動するための駆動回路１４，１６，１８，２０，２２，２４と、交流電源を直流に変換して各部に供給する電源回路２５と、表示装置２００全体を制御するＣＰＵ２６と、表示内容のコンテンツデータなどを制御ＣＰＵ２６に取り込ませるためのＰＣカード２７と、表示パネルの温度を検出するための温度検出回路２８と、表示パネルを冷却するためのＦＡＮ２９とを備える。このような構成において、ＰＣカード２７から読み込んだデータ、およびリモコン受光部１２を介して外部から取り込まれたデータ等が、表示パネルに表示される。
【００５３】
図８は、本実施形態の表示装置２００における制御部の概略構成図を示す。本実施形態の表示装置２００の制御部は、１６ドット×１６ドット文字のフォントデータを格納するデータ保持部３２と、２０ドット×２０ドット文字のフォントデータを格納するデータ保持部３３とを有するＦＲＯＭ３１と、ＰＣカード２７から取得したデータを処理するデータ処理部４０と、表示データを一時的に格納するデータ取得部３５を有するＳＤＲＡＭ（Synchronous DRAM）３４と、データ保持部３２，３３およびデータ取得部３５から供給されるデータを解析するコマンド／データ解析部３６と、コマンド／データ解析部３６で解析したデータを表示データに変換するデータ変換部３７と、表示パネルの表示タイミングを制御する表示制御部３８と、表示データを表示パネルのＬＥＤに合わせて画像データに展開するＶＲＡＭ（Video Random Access Memory）４１と、ＬＥＤの各ドットの点灯タイミングを制御する表示出力制御部４２と、各ＬＥＤを駆動するＬＥＤドライバ４３を備える。
【００５４】
なお、コマンド／データ解析部３６、データ変換部３７および表示制御部３８はＣＰＵ２６により実行され、データ処理部４０、ＶＲＡＭ４１および表示出力制御部４２はＦＰＧＡ（Field Programmable Gate Array）３９で構成される。
【００５５】
このように構成された表示装置２００において、１６ドット×１６ドット文字を表示する場合には、データ取得部３５からコマンド／データ解析部３６に所定の１６ビットの文字コードが送られ、この文字コードに対応した１６ドット×１６ドットの文字フォントがデータ保持部３２から読み出される。そして、この１６ドット×１６ドットの文字フォントに対応して所定のコモン電極及び所定のセグメント電極に対して所定電気信号が印加され、表示パネルに１６ドット×１６ドット文字が表示される。
【００５６】
一方、２０ドット×２０ドット文字を表示する場合には、データ取得部３５からコマンド／データ解析部３６に所定の２０ビットの文字コードが送られ、この文字コードに対応した２０ドット×２０ドットの文字フォントがデータ保持部３３から読み出される。そして、この２０ドット×２０ドットの文字フォントに対応して所定のコモン電極及び所定のセグメント電極に対して所定電気信号が印加され、表示パネルに２０ドット×２０ドット文字が表示される。
【００５７】
本実施形態の表示装置２００によれば、１６ドット×１６ドット文字と、それより大きい２０ドット×２０ドット文字とを切り替えて表示できるので、視認者に違和感を生じさせずに拡大表示を行い、表示パネルの注目度を高めることができる。
【００５８】
図９は、本実施形態の表示装置２００における表示制御処理を示す概略フローチャートである。本実施形態の表示装置２００では、制御部が入力データチェックを行い（ステップＳ１１）、入力データの文字コードを取得する（ステップＳ１２）。そして、文字コードに基づいてアピール表示（強調表示モード）かどうか判断し（ステップＳ１３）、アピール表示の場合（Ｙｅｓ）は、横幅のみのアピール（横幅のみの拡大処理）かどうか判断する。
【００５９】
横幅のみのアピールでない場合（Ｎｏ）は、横幅および縦幅のアピールなので、データ保持部３２から１６ドットフォントデータを取得し（ステップＳ１５）、バッファ１に１６ドットフォントデータを格納する（ステップＳ１６）。さらに、データ保持部３３から２０ドットフォントデータを取得し（ステップＳ１７）、バッファ２に２０ドットフォントデータを格納する（ステップＳ１８）。そして、表示制御部３８において、バッファ１とバッファ２を切り替えて表示する表示処理を行なう（ステップＳ２６）。
【００６０】
一方、ステップＳ１４において、横幅のみのアピールであると判断した場合（Ｙｅｓ）は、データ保持部３２から１６ドットフォントデータを取得し（ステップＳ１９）、バッファ１に１６ドットフォントデータを格納する（ステップＳ２０）。次に、表示制御部３８において、１６ドットフォントデータの横幅拡大処理を行い（ステップＳ２１）、バッファ２に拡大データを格納する（ステップＳ２２）。そして、表示制御部３８において、バッファ１とバッファ２を切り替えて表示する表示処理を行なう（ステップＳ２６）。
【００６１】
また、ステップＳ１３において、アピール表示でないと判断した場合（Ｎｏ）は、データ保持部３２から１６ドットフォントデータを取得し（ステップＳ２３）、バッファ１に１６ドットフォントデータを格納する（ステップＳ２４）。同様にバッファ２にも１６ドットフォントデータを格納する（ステップＳ２５）。そして、表示制御部３８において、バッファ１とバッファ２を切り替えて表示する表示処理を行なう（ステップＳ２６）。
【００６２】
本実施形態の表示方法によれば、１６ドット×１６ドット文字と、それより大きい１６ドット×２０ドット文字または２０ドット×２０ドット文字とを切り替えて表示できるので、視認者に違和感を生じさせずに拡大表示を行い、表示パネルの注目度を高めることができる。
【産業上の利用可能性】
【００６３】
本発明は、飾り専用のＬＥＤ等を用いずに一層目立たせることができる表示パネル、表示装置および表示方法として利用可能である。
【図面の簡単な説明】
【００６４】
【図１】本発明の実施形態にかかる表示パネル１００の概略を説明するための図
【図２】本実施形態の表示パネル１００の画面サイズを、同一の外形サイズの従来の表示パネル１０と比較して示す図
【図３】本実施形態の表示パネル１００の基板サイズおよびＬＥＤドット数を、同一の基板サイズの従来の表示パネル１０と比較して示す図
【図４】本実施形態の表示パネル１００において、通常表示モードにおける１６ドット×１６ドット文字を、強調表示モードにおいて最大２０ドット×２０ドットに変化させ、表現力を増加させた場合の説明図
【図５】本実施形態の表示パネル１００において１６ドット×１６ドット文字を左右に振りながら表示する場合（揺らぎ表示モード）を、同一の基板サイズの従来の表示パネル１０と比較して示す図
【図６】本実施形態の表示パネル１００において、左右２ドットを飾りＬＥＤとして利用する場合の説明図
【図７】本実施形態の表示装置２００の概略ブロック図
【図８】本実施形態の表示装置２００における制御部の概略構成図
【図９】本実施形態の表示装置２００における表示制御処理を示す概略フローチャート
【図１０】１６ドット×１６ドットＬＥＤパネル５０または２４ドット×２４ドットＬＥＤパネル５１の表示パネルの説明図
【符号の説明】
【００６５】
１０，１００  表示装置
１１  フォトセンサ
１２  リモコン受光部
１３，２３  飾り基板
１４，１６，１８，２０，２２，２４  駆動回路
１５，１７，１９，２１  表示基板
２５  電源回路
２６  制御ＣＰＵ
２７  ＰＣカード
２８  温度検出回路
２９  ＦＡＮ
３１  ＦＲＯＭ
３２  データ保持部（１６ドット表示）
３３  データ保持部（２０ドット表示）
３４  ＳＤＲＡＭ
３５  データ取得部
３６  コマンド／データ解析部
３７  データ変換部
３８  表示制御部
３９  ＦＰＧＡ
４０  データ処理部
４１  ＶＲＡＭ
４２  表示出力制御部
４３  ＬＥＤドライバ
５０  １６ドット×１６ドットＬＥＤパネル
５１  ２４ドット×２４ドットＬＥＤパネル
５２  飾りＬＥＤ
【図１】
2007304416.tif 000003
【図２】
2007304416.tif 000004
【図３】
2007304416.tif 000005
【図４】
2007304416.tif 000006
【図５】
2007304416.tif 000007
【図６】
2007304416.tif 000008
【図７】
2007304416.tif 000009
【図８】
2007304416.tif 000010
【図９】
2007304416.tif 000011
【図１０】
2007304416.tif 000012